(57)【要約】【課題】壁部に大きなケーブル用挿通孔を穿設することなく施工できるようにする。【解決手段】機器の動作を指示するリモコン操作機２と、リモコン操作機２からの指示を受けて作動する浴室側機器３とを備え、リモコン操作機２は、使用者の指が接触可能なリモコン側電極４と、リモコン側電極４を介して操作データを送出するデータ送信部５と、データ送信部５とアースＥを電気的に結合する回路グランド１０とを備え、浴室側機器３は、使用者と電気的に結合可能な機器側電極１１，１２と、機器側電極１１，１２を介して受信するデータ受信部１３と、データ受信部１３とアースＥを電気的に結合する回路グランド１５と、データ受信部１３で受信した操作データに応じて機器１６，１７を作動させる制御部１４とを備え、操作データをリモコン側電極４を介し使用者の体の一部を伝送路に用いて機器側電極１１，１２へ伝送する。【選択図】図２
2006322671.tif 000002
【特許請求の範囲】
【請求項１】
浴室壁部に取付けられ、浴室側機器の動作を指示するリモコン操作機と、リモコン操作機からの指示を受けて作動する浴室側機器とを備えた浴室用リモコン装置において、前記リモコン操作機は、使用者の指が電気的に結合可能なリモコン側電極と、浴室壁部を介してアースと電気的に結合する回路グランドと、リモコン側電極を介して操作データを送出するデータ送信部とを備え、前記浴室側機器は、浴槽及び／又は洗い場床に設けられ且つ使用者と電気的に結合可能な機器側電極と、機器側電極を介して受信するデータ受信部と、アースと電気的に結合する回路グランドと、データ受信部で受信した操作データに応じて機器を作動させる制御部とを備え、前記操作データを前記リモコン側電極を介し使用者の体の一部を伝送路に用いて前記機器側電極へ伝送するようにしたことを特徴とする浴室用リモコン装置。
【請求項２】
前記浴室側機器が前記機器側電極を介して電源用電気を送出する電源供給部を備え、前記リモコン操作機が、前記機器側電極を介して電源用電気を受給して、前記データ送信部を起動させる発振部を備え、前記機器側電極を介し使用者の体の一部を伝送路に用いて前記リモコン側電極へ電源用電気を伝送するようにした請求項１記載の浴室用リモコン装置。
【発明の詳細な説明】
【技術分野】
【０００１】
本発明は、浴室に設けられるリモコン装置に関するものである。
【背景技術】
【０００２】
従来、浴室用リモコン装置は、浴室側の機器（例えば、給湯機器、気泡噴出装置、空調装置等）の動作を指示するリモコン操作機と、リモコン操作機からの指示を受けて作動する浴室側機器とを備え、リモコン操作機から浴室側機器へ有線で操作データを送信するようにしたものがある（特許文献１）。また、リモコン操作機から浴室側機器へ無線で操作データを送信するようにしたものがある（特許文献２）
【特許文献１】実開平２−１２８０３７号公報
【特許文献２】特開平７−２２６９８６号公報
【発明の開示】
【発明が解決しようとする課題】
【０００３】
しかし、有線で操作データを送信する浴室用リモコン装置は、浴室を構成する壁部に大きなケーブル用挿通孔を穿設し、挿通孔を利用して送信用ケーブルを引き回す手間が必要となり、施工コストを増大させる。また、無線で操作データを送信する浴室用リモコン装置は、送信用の電池を備えているため、電池交換を定期的に行う手間を必要とする。
そこで、本発明は、従来技術のこの欠点に鑑み創案したものであって、浴室の壁部に大きなケーブル用挿通孔を穿設することなく施工でき、また、電池交換を必要としない浴室用リモコン装置を提供することを目的とする。
【課題を解決するための手段】
【０００４】
浴室の壁部に大きなケーブル用挿通孔を穿設することなく施工できるようにするために請求項１記載の本発明が採用した手段は、浴室壁部に取付けられ、浴室側機器の動作を指示するリモコン操作機と、リモコン操作機からの指示を受けて作動する浴室側機器とを備えた浴室用リモコン装置において、前記リモコン操作機は、使用者の指が電気的に結合可能なリモコン側電極と、浴室壁部を介してアースと電気的に結合する回路グランドと、リモコン側電極を介して操作データを送出するデータ送信部とを備え、前記浴室側機器は、浴槽及び／又は洗い場床に設けられ且つ使用者と電気的に結合可能な機器側電極と、機器側電極を介して受信するデータ受信部と、アースと電気的に結合する回路グランドと、データ受信部で受信した操作データに応じて機器を作動させる制御部とを備え、前記操作データを前記リモコン側電極を介し使用者の体の一部を伝送路に用いて前記機器側電極へ伝送するようにしたことを特徴とする浴室用リモコン装置である。なお、前記リモコン操作機は、複数の動作の中から任意の動作を選択できるようにするために、複数個のリモコン側電極を備えると共に、各リモコン側電極毎に前記データ送信部を設け、リモコン側電極の選択で異なる操作データを送出できるようにすることもある。前記機器側電極は、浴槽の室外側及び／又は洗い場床の室外側に配設した電極板で形成し、浴槽に入浴中の使用者及び／又は洗い場に居る使用者と浴槽及び／又は洗い場を形成するＦＲＰ等の絶縁材料を介して間接的に接触して静電場結合するように構成することもある。
【０００５】
リモコン操作機の電池交換をなくするために請求項２記載の本発明が採用した手段は、前記浴室側機器が前記機器側電極を介して電源用電気を送出する電源供給部を備え、前記リモコン操作機が、前記機器側電極を介して電源用電気を受給して、前記データ送信部を起動させる発振部を備え、前記機器側電極を介し使用者の体の一部を伝送路に用いて前記リモコン側電極へ電源用電気を伝送するようにした請求項１記載の浴室用リモコン装置である。
【発明の効果】
【０００６】
請求項１記載の本発明に係る浴室用リモコン装置は、リモコン操作機が、浴室壁部を介してアースと電気的に結合する回路グランドを備えているため、浴室壁部に穿設された大きなケーブル用挿通孔を利用して引き回す送信用ケーブルを不要とし、施工コストの低減を図ることができる。
【０００７】
請求項２記載の本発明に係る浴室用リモコン装置は、機器側電極に電気的に結合した使用者が指をリモコン側電極に接触させると、使用者の体の一部が伝送路となって電源用電気を電源回路へ伝送するため、リモコン操作機が電池不要となり電池交換の必要性も無くなる。
【発明を実施するための最良の形態】
【０００８】
本発明に係る浴室用リモコン装置（以下、「本発明リモコン装置」と言う。）を図面に示す実施形態に基づいて説明する。
【０００９】
（第１の実施の形態）
図１乃至図５は本発明リモコン装置の第１の実施の形態を示すものであって、図１は使用状態の装置全体を示す側面図、図２はリモコン操作機及び浴室側機器のブロック図、図３は浴室内で使用者がリモコン操作機を操作して操作データを送受信している状態の等価回路、図４はリモコン操作機の回路グランドを説明する説明図、図５はリモコン操作機の回路グランドの別態様を説明する説明図である。
【００１０】
本例の本発明リモコン装置１は、図１に示す如く、機器の動作を指示するリモコン操作機２と、リモコン操作機２からの指示を受けて機器を制御する浴室側機器３とを備えている。リモコン操作機２は、浴室壁部１８に直接又は浴室壁部１８と電気的に結合する取付部を介して取り付けられて浴室内に配設され、浴室側機器３は浴室外等に配設される。
【００１１】
前記リモコン操作機２は、図２に示す如く、使用者Ｍ（図１参照）の指先が接触可能な導電性のリモコン側電極４と、リモコン側電極４を介して操作データを送出するデータ送信部５とを備えている。データ送信部５は、送信する操作データ７に基づいて搬送波となる交流信号をアナログ変調又はデジタル変調変調する変調部８と、変調部８により変調された変調信号に対応する電圧をリモコン側電極４に印加する電圧印加部９と、アースＥと電気的に結合する回路グランド１０と、電池等からなる電源供給部６とを備えている。電圧印加部９は、出力インピーダンスを調整するインピーダンス調整部（図示略）を備えることもある。リモコン操作機２は、操作する機器の個数に応じてリモコン側電極４及びデータ送信部５の一組又は複数組（本例）を備えている。本例の如く複数組を備えるときには、各リモコン側電極４毎にデータ送信部５を設け、リモコン側電極４の選択で異なる操作データを送出して複数の動作（例えば、気泡噴出装置の始動／停止や空調装置の始動／停止等）の中から任意の動作を選択できる。
【００１２】
上記リモコン側電極４は、使用者Ｍと直接接触可能に表面が露出するように設ける以外に、表面を絶縁性材料からなる被覆層で覆い、被覆層を介して間接的に接触させてもよい。この場合、リモコン側電極４と使用者は、静電場結合により電気的に結合し、操作データを伝送することができる。
【００１３】
前記回路グランド１０は、図４及び図５に示すように、リモコン操作機２を取付けた浴室壁部１８の導電部１８ａ（例えば、被覆鋼板や、金属製の枠体等）を介して静電場結合され、アースＥとの間でインピーダンス成分Ｚ３となっている。図４に示す態様の浴室壁部１８は、ケイ酸カルシウム板等の下地板１８ｂに被覆鋼板１８ａを接合してある。また、上記回路グランド１０は、図５に示すように、浴室壁部１８に埋め込まれて導電部１８ａ（本例は金属製の枠体）と結合したリード部１０ａにデータ送信部５のグランド端子を当接して、アースＥと間でインピーダンス成分Ｚ３とすることもある。また、図５に示す態様の浴室壁部１８は、ケイ酸カルシウム板等の下地板１８ｃの裏面側を金属製枠体１８ａで補強し、下地板１８ｃの表面側にタイル等の意匠板１８ｄを貼着してある。なお、前記アースＥは、大地アースとする以外に、浴室外に配設したアース配線とすることも可能である。
【００１４】
前記浴室側機器３は、図２に示す如く、浴室内に居る使用者Ｍに面する導電性の機器側電極１１，１２と、機器側電極１１，１２を介して受信するデータ受信部１３と、データ受信部１３で受信した操作データに応じて対応する機器ドライバ１６，１７を作動させる制御部１４と、アースＥと電気的に結合する回路グランド１５とを備えている。一方の機器側電極１１は、図１に示す如く、浴室外側で浴槽３１に取付けられ、浴槽３１に入浴中の使用者Ｍの臀部や足が接する浴槽内側底面３１ａと対向する大きさに形成され、入浴姿勢に関係することなく使用者Ｍとの間隔を一定とするようにしてある。他方の機器側電極１２は、浴室外側の洗い場床３２に取付けられ、洗い場床３２に居る使用者Ｍの足が接する床面３２ａと対向する大きさに形成され、使用者Ｍとの間隔を一定とするようにしてある。機器側電極１１，１２は、インピーダンス調整部（図示略）を備え、リモコン操作機２のリモコン側電極４から浴槽３１の内側面３１ａに接する使用者Ｍを介して機器側電極１１へ至る間のインピーダンス成分Ｚ２と、リモコン操作機２のリモコン側電極４から洗い場床の床面３２ａに接する使用者Ｍを介して機器側電極１２へ至る間のインピーダンス成分Ｚ２とを一致又は近接させることができるようになっている。データ受信部１３は、図２に示す如く、機器側電極１１，１２を介して受信した変調信号を復調する復調部を備え、復調して取り出した操作データを制御部１４へ送信するようにしてある。アースＥは、前記術の如く、大地アースとする以外に、浴室外に配設したアース配線とすることも可能である。
【００１５】
上記機器側電極１１，１２は、浴槽３１又は浴室洗い場３２を介して静電場結合により電気的に結合するように設ける以外に、図示は省略したが、使用者Ｍと直接接触可能に表面が露出するように、浴槽内側底面３１ａ又は洗い場床面３２ａに設けることも可能である。
【００１６】
本発明リモコン装置１は、前記リモコン操作機２及び浴室側機器３は、リモコン側電極４及び機器側電極１１，１２に接触する使用者Ｍの体の一部を伝送路に用い、回路グランド１０，１５が結合するアースＥを介して閉回路を形成するようにしてある。本発明リモコン装置１は、リモコン操作機２の発振部６で生成する搬送波の周波数として例えば３００〜１６００ＫＨｚの範囲で選択され、変復調方式として例えばデジタル変調であるＡＳＫ（振幅シフトキーイング）変調等が選択される。
【００１７】
上述した本発明リモコン装置１におけるデータ送受信の方法について以下に説明する。図１は浴室内で使用者Ｍがリモコン操作機２を操作している状態の説明図であり、図３はその等価回路である。
【００１８】
図１に示すように使用者Ｍがリモコン操作機２を操作している状態において、Ｚ１はリモコン操作機２のリモコン側電極４と使用者Ｍとの界面のインピーダンス成分であり、Ｚ２はリモコン操作機２のリモコン側電極４に接する指から浴槽３１の内側底面３１ａに接する使用者Ｍを介して機器側電極１１へ至る間に生じるインピーダンス成分、または、リモコン操作機２のリモコン側電極４に接する指から洗い場床の床面３２ａに接する使用者Ｍを介して機器側電極１２へ至る間に生じるインピーダンス成分、Ｚ３は浴室壁部１０を介してリモコン操作機２の回路グランド１０とアースＥとの間に生じるインピーダンス成分、Ｚ４は回路グランド１０，１５の大地アース間のインピーダンス成分、Ｚｒはデータ受信部１３の入力インピーダンスである。
【００１９】
本発明リモコン装置１は、使用者Ｍの選択したリモコン側電極４に指が接触すると、電圧印加部９で印加された電圧信号Ｖｏをデータ受信部１３が受信信号Ｖｒとして検出する。この受信信号Ｖｒは、等価回路の構成より下記［数１］として検出される。この受信信号Ｖｒを、データ受信部１３の復調部で操作データとして取り出すことにより、リモコン操作機２から浴室側機器３へのデータ通信が確実に達成され、操作データに応じて制御部１３が機器ドライバ１５又は１６の動作を制御する。
【００２０】
Ｖｒ＝Ｖｏ×Ｚｒ÷（Ｚ１＋Ｚ２＋Ｚ３＋Ｚ４＋Ｚｒ）…［数１］
【００２１】
このような原理に基づく人体を伝送路とするデータ通信装置である浴室用リモコン装置１にあっては、基本的には、通信時に図３に示す回路を形成する有線通信を用いた通信装置であるので、無線通信を用いた通信装置に比べて安価且つ小型なものにすることが可能になる。
【００２２】
（第２の実施の形態）
図６は本発明リモコン装置の第２の実施の形態を示すものであり、リモコン操作機及び浴室側機器のブロック図である。
【００２３】
本発明リモコン装置２１は、前記第１の実施の形態に係る本発明リモコン装置１の構成の他に、リモコン操作機２の電池交換をなくするために、浴室側機器３からリモコン操作機２へ電気を供給できる構成を付加してある。本例の本発明リモコン装置２１は、浴室側機器３が、機器側電極１１，１２を介して電源用電気を送出する電源供給部２２を備えると共に、リモコン操作機２が、リモコン側電極４を介して電源用電気を受給して、データ送信部５へ給電する発振部２３を備え、機器側電極１１，１２を介して使用者の体の一部を伝送路に用いてリモコン側電極４へ電源用電気を伝送するようにしてある。電源供給部２２は、交流信号を生成する交流生成部と、交流信号に対応する電圧を機器側電極１１，１２に印加する電圧印加部とを備え、回路グラン１５を介してアースＥに電気的に結合されている。浴室側機器３は、電源供給部２２の電源供給部２２で生成する交流信号の周波数として例えば３００〜１６００ＫＨｚの範囲であって、前記リモコン操作機２の搬送波の周波数と異なる周波数を選択することで、操作データ搬送用の搬送波と混信させないようにするとよい。
【００２４】
図７は使用者Ｍがリモコン操作機２を操作して電源用電気を伝送している状態の等価回路であり、Ｚ１はリモコン操作機２のリモコン側電極４と使用者Ｍとの界面のインピーダンス成分であり、Ｚ２はリモコン操作機２のリモコン側電極４に接している指から浴槽３１の内側底面３１ａに接する使用者Ｍを介して機器側電極１１へ至る間に生じるインピーダンス成分、または、リモコン操作機２のリモコン側電極４に接している指から洗い場床の床面３２ａに接する使用者Ｍを介して機器側電極１２へ至る間に生じるインピーダンス成分、Ｚ３はリモコン操作機２の回路グランド１０とアースＥの間に生じるインピーダンス成分、Ｚ４は回路グランド１０，１５の大地アース間のインピーダンス成分、Ｚｐは発振部２３の入力インピーダンスである。
【００２５】
本発明リモコン装置２１は、使用者Ｍの選択したリモコン側電極４に指が接触すると、電源供給部２２で印加された電圧信号Ｖｓを発振部２２が受電信号Ｖｐとして検出する。この受電信号Ｖｐは、等価回路の構成より下記［数２］として検出される。この受電信号Ｖｐを、電源用電気として取り出すことにより、リモコン操作機２のデータ送信部５を起動させることができる。
【００２６】
Ｖｐ＝Ｖｓ×Ｚｐ÷（Ｚ１＋Ｚ２＋Ｚ３＋Ｚ４＋Ｚｐ）…［数２］
【００２７】
本例の本発明リモコン装置２１は、機器側電極１１，１２に電気的に結合した使用者Ｍが操作のために選択したリモコン側電極４に指先を接触させると、使用者Ｍの体の一部が伝送路となって電源用電気を発振部２３へ伝送するため、リモコン操作機２が電池不要となり電池交換の必要性も無くなる。その結果、電池不要となったリモコン操作機２は、厚み寸法を薄く構成することが可能となり、浴室壁部に対する取付けが簡単にできる。
【図面の簡単な説明】
【００２８】
【図１】本発明リモコン装置の第１の実施の形態を示すものであり、使用状態の装置全体を示す側面図である。
【図２】第１の実施の形態のリモコン操作機及び浴室側機器のブロック図である。
【図３】第１の実施の形態を示すものであり、浴室内で使用者がリモコン操作機を操作して操作データを送受信している状態の等価回路である。
【図４】第１の実施の形態を示すものであり、リモコン操作機の回路グランドを説明する説明図である。
【図５】第１の実施の形態を示すものであり、リモコン操作機の回路グランドの別態様を説明する説明図である。
【図６】本発明リモコン装置の第２の実施の形態のリモコン操作機及び浴室側機器のブロック図である。
【図７】第２の実施の形態を示すものであり、浴室内で使用者がリモコン操作機を操作して電源用電気を伝送している状態の等価回路である。
【符号の説明】
【００２９】
２…リモコン操作機、３…浴室側機器、４…リモコン側電極、５…データ送信部、１０，１５…回路グランド、１１，１２…機器側電極，１３…データ受信部、１４…制御部、  １６，１７…機器
【図１】
2006322671.tif 000003
【図２】
2006322671.tif 000004
【図３】
2006322671.tif 000005
【図４】
2006322671.tif 000006
【図５】
2006322671.tif 000007
【図６】
2006322671.tif 000008
【図７】
2006322671.tif 000009